(57)【要約】      （修正有）【課題】無線充電コイルを有するマウスパッド構造を提供する。【解決手段】無線充電コイルを有するマウスパッド構造１は、被覆層１０、第１布層２０、コイル層３０およびシリコーンゴム層４０を含む。被覆層１０はベース１１と、ベース１１の一側面に成型される複数の収容溝とを含む。第１布層２０はベース１１上に設けられ、収容溝に相対するもう１つの側面に位置する。コイル層３０は収容溝中に設けられる複数のコイル３１を含み；シリコーンゴム層４０は収容溝に埋め込まれ、コイル３１を覆う。これにより無線充電コイルを有するマウスパッド構造が完成する。【選択図】図５
0003221277.tif 000002
【実用新案登録請求の範囲】
【請求項１】
無線充電コイルを有するマウスパッド構造であって、
ベースと、該ベースの一側面に成型される複数の収容溝とを含む被覆層と；
該ベース上に設けられ、該収容溝に相対するもう１つの側面に位置する第１布層と；
該収容溝中に設けられる複数のコイルを含むコイル層と；
該収容溝に埋め込まれ、該コイルを覆うシリコーンゴム層と；を含む構造。
【請求項２】
土台と、該土台上に設けられる第２布層とをさらに含み、該土台は、該第２布層により該シリコーンゴム層上に結合される、請求項１に記載の無線充電コイルを有するマウスパッド構造。
【請求項３】
該土台がゴム台である、請求項２に記載の無線充電コイルを有するマウスパッド構造。
【請求項４】
該ベースに射出成型の方式で該収容溝が形成される、請求項１に記載の無線充電コイルを有するマウスパッド構造。
【請求項５】
接続モジュールをさらに含み、該接続モジュールは、該コイル層と電気的に接続する回路基板と、該回路基板を結合するコネクタとを含む、請求項１に記載の無線充電コイルを有するマウスパッド構造。
【請求項６】
該第１布層がマルチスパンデックスである、請求項１に記載の無線充電コイルを有するマウスパッド構造。
【考案の詳細な説明】
【技術分野】
【０００１】
本考案はマウスパッド構造に関し、特に無線充電コイルを有するマウスパッド構造である。
【背景技術】
【０００２】
パソコンの周辺機器において、マウスパッドは不可欠な用品である。マウスをマウスパッド上で正確に移動させることができ、さらにはカーソルを正確に移動させるため、使用者がマウスで各コマンドの入力を行うのに便利である。
【０００３】
さらに、無線マウスは使用者が操作する上で極めて大きな利便性を提供するため、現在、市場には無線充電可能なマウスパッドおよびマウスの組合せがすでに出現している。しかしながら、既存の無線充電マウスパッド構造は、無線充電モジュールをマウスパッド上に重ねて設けており、その充電面は使用表面から突出し、マウスパッドの表面が平らでなく、マウスを移動させるときの障害となる。したがって、改良が待たれる。
【０００４】
このことを考慮し、本考案者は上記目的を達成するため、鋭意研究を行い、さらに学理的な利用を組み合わせて、最終的に設計が合理的で上記欠点を効果的に改善した本考案を出願する。
【考案の概要】
【考案が解決しようとする課題】
【０００５】
本考案の目的は、無線充電コイルを有するマウスパッド構造を提供することにある。コイルは被覆層中に設けられ、第１布層から突出せず、これにより無線充電コイルを有するマウスパッドが完成する。
【課題を解決するための手段】
【０００６】
上記目的を達成するため、本考案の無線充電コイルを有するマウスパッド構造は、被覆層、第１布層、コイル層およびシリコーンゴム層を含む。被覆層はベースと、ベースの一側面に成型される複数の収容溝とを含む。第１布層はベース上に設けられ、該収容溝に相対するもう１つの側面に位置する。コイル層は収容溝中に設けられる複数のコイルを含み；シリコーンゴム層は該収容溝に埋め込まれ、該コイルを覆う。
【０００７】
既知のものと比較して、本考案の無線充電可能なマウスパッドは、まず射出方式で複数の収容溝を有するベースを成型し、他に第１布層をベースのもう１つの側面に設ける。続いてコイルを収容溝中に設け、最後に液体状態のシリコーンゴムを収容溝に埋め込んで固化させ、該コイルを覆う。これによりコイルはシリコーンゴム層中に埋設され、第１布層から突出せず、マウスパッドの表面を平らにする。マウスの移動に都合がよく、本考案の実用性を高める。
【図面の簡単な説明】
【０００８】
【図１】図１は、本考案の無線充電コイルを有するマウスパッド構造の上面概要図である。
【図２】図２は、本考案の無線充電コイルを有するマウスパッド構造の断面分解概要図である。
【図３】図３は、本考案の無線充電コイルを有するマウスパッド構造におけるもう１つの実施形態の断面分解概要図である。
【図４Ａ】図４Ａは、本考案の無線充電コイルを有するマウスパッド構造における製造工程の概要図である。
【図４Ｂ】図４Ｂは、本考案の無線充電コイルを有するマウスパッド構造における製造工程の概要図である。
【図４Ｃ】図４Ｃは、本考案の無線充電コイルを有するマウスパッド構造における製造工程の概要図である。
【図５】図５は、本考案の無線充電コイルを有するマウスパッド構造の断面概要図である。
【考案を実施するための形態】
【０００９】
本考案に関する詳細な説明および技術内容について、図を組み合わせて以下のように説明する。しかしながら、添付する図は参考および説明用に提供したに過ぎず、本考案を制限するものではない。
【００１０】
図１および図２を参照されたい。図１および図２は、それぞれ本考案の無線充電コイルを有するマウスパッド構造の上面概要図および断面分解概要図である。本考案の無線充電コイルを有するマウスパッド構造１は、下から上に順番に設けられる被覆層１０、第１布層２０、コイル層３０およびシリコーンゴム層４０を含み、これにより無線充電コイルを有するマウスパッド構造１を構成する。該無線充電コイルを有するマウスパッド構造１をより詳細に以下のように記載する。
【００１１】
該被覆層１０は、好ましくはシリコーンゴムからなる。該被覆層１０は射出方式で成型され、ベース１１と、該ベース１１の一側面に成型される複数の収容溝１２とを含む。本実施例において、該ベース１１に射出成型の方式で該収容溝１２が形成され、各該収容溝１２はＵ状の溝である。また、該第１布層２０は該被覆層１０上に設けられ、該収容溝１２に相対するもう１つの側面に位置する。本実施例において、該第１布層２０は使用布層であり、マウスをこの上で移動させる。好ましくは、該第１布層２０はマルチスパンデックス（ｍｕｌｔｉｓｐａｎｄｅｘ）である。
【００１２】
さらに、該コイル層３０は該収容溝１２中に設けられる複数のコイル３１を含む。該コイル３１は無線充電の誘導コイルである。このほか、該シリコーンゴム層４０は該収容溝１２に埋め込まれ、該コイル３１を覆う。
【００１３】
図１に示すように、本考案の一実施例において、無線充電コイルを有するマウスパッド構造１は接続モジュール７０をさらに含む。該接続モジュール７０は、該コイル層３０と電気的に接続する回路基板７１と、該回路基板７１を結合するコネクタ７２とを含む。該コネクタ７２は外部電源との接続下で、該回路基板７１および該コイル層３０に電力を供給する。
【００１４】
本考案の無線充電コイルを有するマウスパッド構造１は、上記構造設置により、該コイル層３０を該被覆層１０中に埋設することができ、該第１布層２０から突出しない。
【００１５】
他に図３を参照されたい。図３は、本考案の無線充電コイルを有するマウスパッド構造におけるもう１つの実施形態の断面分解概要図である。本考案の一実施例において、該無線充電コイルを有するマウスパッド構造１は、土台５０と、該土台５０上に設けられる第２布層６０とをさらに含む。該土台５０は、該第２布層６０により該シリコーンゴム層４０上に結合される。好ましくは、該土台５０はゴム台である。
【００１６】
続けて図４Ａ、４Ｂおよび４Ｃを参照されたい。図４Ａ、４Ｂおよび４Ｃは、本考案の無線充電コイルを有するマウスパッド構造における製造工程の概要図である。図に示すように、本考案の無線充電コイルを有するマウスパッド構造の製造工程は以下の通りである。まず、被覆層１０を提供する。該被覆層１０は、射出方式でベース１１と、該ベース１１の一側面に成型される複数の収容溝１２とが成型される。また、他に第１布層２０を提供する。該第１布層２０は該ベース１１に設けられ、該収容溝１２に相対するもう１つの側面に位置する。
【００１７】
続いて、コイル層３０を提供する。該コイル層３０は、該収容溝１２中に設けられる複数のコイル３１を含む。続けて、さらにシリコーンゴム層４０を提供する。該シリコーンゴム層は該被覆層１０の収容溝１２に埋め込まれ、該コイル３１を覆う。これにより、該コイル層３０は該被覆層１０中に埋設され、該第１布層２０から突出しない。説明する必要があることとして、該シリコーンゴム層４０は液体状態の方式で該収容溝１２に埋め込まれて固化し、該コイル３１を覆う。
【００１８】
他に説明する必要があることとして、本考案の無線充電コイルを有するマウスパッドの製造工程は、さらに土台５０と、該土台５０上に設けられる第２布層６０とを含むことができる。該土台５０は、該第２布層６０により該シリコーンゴム層４０上に結合され、このうち、該土台５０はシリコーンゴムまたはゴムからなる滑り止めの土台である。
【００１９】
さらに図５を参照されたい。図５は、本考案の無線充電コイルを有するマウスパッド構造の断面概要図である。前記方式に基づいて製造した無線充電コイルを有するマウスパッド構造１は、図に示す通り、上から下に順番に第１布層２０、被覆層１０、被覆層１０中に埋設されるコイル層３０、シリコーンゴム層４０、第２布層６０、土台５０が設けられ、これにより無線充電コイルを有するマウスパッド構造１を構成する。
【００２０】
以上の記載は本考案の好ましい実施例に過ぎず、本考案の実用新案登録請求の範囲を限定するものではない。本考案の主旨を利用したその他の同等の変更は、いずれも本考案の実用新案登録請求の範囲に属するべきである。
【符号の説明】
【００２１】
１    無線充電コイルを有するマウスパッド構造
１０  被覆層
１１  ベース
１２  収容溝
２０  第１布層
３０  コイル層
３１  コイル
４０  シリコーンゴム層
５０  土台
６０  第２布層
７０  接続モジュール
７１  回路基板
７２  コネクタ
【図１】
0003221277.tif 000003
【図２】
0003221277.tif 000004
【図３】
0003221277.tif 000005
【図４Ａ】
0003221277.tif 000006
【図４Ｂ】
0003221277.tif 000007
【図４Ｃ】
0003221277.tif 000008
【図５】
0003221277.tif 000009